(57)【要約】【課題】本発明は、初めて操作する操作者にとって操作困難なメカ駆動のデモンストレーション用動作を自動的に動作させるメカ駆動デモモードや表示によるデモンストレーションであるプレゼンテーションデモモードを実行することにより、操作しなくてもカメラの各機能が見ているだけでわかるようなデモンストレーション用動作を提示できるデジタルカメラを提供することを目的とする。【解決手段】本発明のデジタルカメラは、操作者がデモンストレーション用動作を行うデモモードを選択した場合、デモモードに対応するデモンストレーション用動作を行う。【選択図】　　　　図２
2004032227.tif 000002
【特許請求の範囲】
【請求項１】
撮影機能を実行する撮影手段と、撮影データを処理する撮影データ処理手段と、撮影データ処理結果を記憶する一時記憶手段と、外部記録媒体に書き込む記録手段と、記録画像を再生する再生手段と、各種機能や撮影データを表示する表示部とを含んでいるデジタルカメラにおいて、
操作者がデモンストレーション用動作を行うデモモードを選択した場合、デモモードに対応するデモンストレーション用動作を行うことを特徴とするデジタルカメラ。
【請求項２】
前記デモモードは、実際のメカ駆動によるデモンストレーション用動作を行うメカ駆動デモモードと、実際のメカ駆動によるデモンストレーション用動作を行わず前記表示部にデモンストレーション用動作を映像として表示するプレゼンテーションデモモードとを含む請求項１記載のデジタルカメラ。
【請求項３】
前記メカ駆動デモモードによるデモンストレーション用動作は、ズーム動作、フォーカス動作、撮影動作、再生動作を含む請求項２記載のデジタルカメラ。
【発明の詳細な説明】
【０００１】
【発明が属する技術分野】
本発明はデジタルカメラに関し、詳細にはデジタルカメラの店頭などでのデジタルカメラのデモンストレーション機能に関する。
【０００２】
【従来の技術】
被写体を電子的撮像機能により画像データに変換して、その画像データを記憶媒体に記憶するデジタルカメラが普及している。このデジタルカメラを店頭で展示販売することを想定した場合に、販売機会の損失をできるだけ抑制するために、実際に撮影可能な実物見本を展示することが望ましい。このような実物見本は、店頭にてデモンストレーション用デジタルカメラよりも、通常使用されるものでデモ機能を有するデジタルカメラが提案されている。その一つとして特開２００１−３５２４７９号公報（以下従来例と称す）には、ある固定の動作条件を設定することにより、一般的な撮影条件を設定してユーザが容易にデモ撮影やデモ再生を行うことができ、店頭展示効果を高めることができるようにしている。
【０００３】
【発明が解決しようとする課題】
しかしながら、上記従来例では、デモ動作に条件を設けたためデモモードによるデモンストレーション用動作に限界があり、デジタルカメラの機能を提示して購買力を促すという当初の目的を完全に達成するに至っていなかった。
【０００４】
本発明はこの問題点を解決するためのものであり、ユーザがより使い方を理解してもらうために、初めて操作する操作者にとって操作困難なメカ駆動のデモンストレーション用動作を自動的に動作させるメカ駆動デモモードや表示によるデモンストレーションであるプレゼンテーションデモモードを実行することにより、操作しなくてもカメラの各機能が見ているだけでわかるようなデモンストレーション用動作を提示できるデジタルカメラを提供することを目的とする。
【０００５】
【課題を解決するための手段】
前記問題点を解決するために、本発明のデジタルカメラは、操作者がデモンストレーション用動作を行うデモモードを選択した場合、デモモードに対応するデモンストレーション用動作を行う。よって、操作しなくてもカメラの各機能が見ているだけでわかるようなデモンストレーション用動作を提示できるデジタルカメラを提供できる。
【０００６】
また、デモモードは、実際のメカ駆動によるデモンストレーション用動作を行うメカ駆動デモモードと、実際のメカ駆動によるデモンストレーション用動作を行わず表示部にデモンストレーション用動作を映像として表示するプレゼンテーションデモモードとを含む。メカ駆動デモモードによるデモンストレーション用動作を行うことで、初めて操作する操作者にとって操作困難なメカ駆動のデモンストレーション用動作を理解し易い。また、プレゼンテーションデモモードによる映像は、購入前、また購入後において操作を理解することがより簡単にできると共に、メカ動作が無いので消費電流も少ない。
【０００７】
更に、メカ駆動デモモードによるデモンストレーション用動作は、ズーム動作、フォーカス動作、撮影動作、再生動作を含むことが好ましい。
【０００８】
【発明の実施の形態】
本発明のデジタルカメラは、操作者がデモンストレーション用動作を行うデモモードを選択した場合、デモモードに対応するデモンストレーション用動作を行う。
【０００９】
【実施例】
図１は、本発明の一実施例に係るデジタルカメラの構成を示すブロック図である。同図において、デジタルカメラ１０は、ＣＰＵ１１、プログラムＲＯＭ１２、ＲＡＭ１３、記憶媒体１４、メモリカードＩ／Ｆ部１５、ＬＥＤ１６、ファインダ部１７、音声処理部１８、音声入出力部１９、電源２０、レンズ部２１、センサ部２２、カメラ画像処理部２３、画像処理部２４、ＬＣＤ表示部２５、ＬＣＤ制御部２６、操作部２７、信号入力部２８、ストロボ部２９、Ｉ／Ｏ部３０、メカ駆動部３１及びＯＳＤ部３２を含んで構成されている。また、各構成部は内部バス３３に接続されている。
【００１０】
ＣＰＵ１１は、各構成部の制御を司る。プログラムＲＯＭ１２には、電源２０をたち上げた時のブートＲＯＭとしてプログラムが格納されている。ＲＡＭ１３は、プログラムを始め各種システムパラメータやワーキング領域、そして処理画像を格納する。記憶媒体１４は、画像情報を保管格納する。メモリカードＩ／Ｆ部１５は、メモリカード３４へ画像データの入出力を行う。ＬＥＤ１６は、ＡＦＬＥＤとストロボＬＥＤでそれぞれフォーカス状態とストロボ状態等を表示する。音声処理部１８は、音声入出力部１９のマイクで集音された音声を所定のフォーマットに従い音声圧縮の処理を行い、ＲＡＭ１３やメモリカード３４等に蓄積する。電源２０は、各種ブロックに電力を供給する。センサ部２２は、撮像素子であるＣＣＤ（またはＭＯＳ型撮像素子）であり、光学的なアナログ信号を映像信号に変換する。カメラ画像処理部２３は、映像信号をアナログ信号からディジタル信号に変換した後、オートホワイトバランス／オートフォーカス、色信号処理、等の各種画像処理を行う。画像処理部２４は、画像圧縮／伸長を行い、撮影した静止画像のＪｐｅｇ及び文字モード画像２値画像の圧縮／伸張及びＡＶＩ等の動画の圧縮／伸長処理を行う。ＬＣＤ表示部２５は、撮影時各種モードの表示あるいはモニタリング画面の表示等を行い、再生時撮影映像ファイルの表示やサムネイル表示を行う。ＬＣＤ制御部２６は、表示用の画像メモリやＬＣＤをドライブする機能を持ち、カメラ画像処理部２３で処理された画像を動画像に処理する制御を行う。操作部２７は、シャッターやモードダイヤルや上下キー等の操作部であり、キーを押下することで信号入力部２８に何のキーが押下されたかどうかの信号が通知する。信号入力部２８は、操作部２７によって入力された操作に応じた信号を出力する。ストロボ部２９は、操作者の指示又は撮影環境に応じてストロボを焚く。Ｉ／Ｏ部３０は、ＰＣ等の外部ホスト装置と接続して画像情報を取り込んだり又は撮影した画像情報を外部ホスト装置に出力する。メカ駆動部３１は、ズーム等のメカ制御部が含まれる。ＯＳＤ部３２は、ＬＣＤ表示部２５の一部に各種設定値を表示して設定可能とする。メモリカード３４は、コンパクトフラッシュ（登録商標）、ＳＤカード、スマートメディアカード等である。
【００１１】
このような構成を有するデジタルカメラ１０は、撮影モードにて電源２０をたち上げた状態で、カメラ画像処理部２３で処理された画像は、直接ＬＣＤ制御部２６を介してＬＣＤ表示部２５にて動画像として出力される。また、ユーザはＬＣＤ表示部２５を見ながら、シャッターを押す機会を待つ。操作部２７の一部であるシャッターが押されると、信号入力部２８を介してＣＰＵ１１に信号を送り、プログラムに従ってカメラ画像処理部２３で処理された画像信号を画像処理部２４により画像圧縮／伸長を施す。なおストロボの必要があればストロボ部２９にてストロボを焚く。圧縮されたデータは、ファイルとしてＲＡＭ１３にて蓄積され、または記憶媒体１４１もしくはメモリカードＩ／Ｆ部１５に挿入されているメモリカード３４にファイルとして記録される。更に、シャッターやモードダイヤルや上下キー等の操作部２７のキーを押下することで信号入力部２８に何のキーが押下されたかどうかの信号が通知され、ＣＰＵ１１に通知され所定のプログラムに従って動作する。１−１６はストロボ部であり、ストロボを発光させるのに必要なコンデンサ等の機能を持つ。ここで、ファイルには、ＪＰＥＧで圧縮された画像が格納されているが、ヘッダ部には実画像の格納場所、長さ、画素数、輝度等の画像情報、メーカーが自由に使用できるメーカーコード、撮影者名、撮影日付などの領域がある。ヘッダの領域に認識処理の結果を格納するエリアを設ける。デジタルカメラには、撮影を促す状態の通常撮影モード、撮影したものをＬＣＤ表示部２５に表示する再生モード、撮影した画像をＰＣに転送するためのＰＣ接続モード、そして後述する本発明が提案するメカ駆動デモモードがある。撮影した場合、撮影モードでスタートすると、レンズ部２１より集光した映像はリアルタイムにＬＣＤ表示部２５にて表示される。撮影者は、モニタリングの画像を見ながら、シャッターを押す機会を待つ。操作部の一部であるレリーズキーを押下する。オートフォーカスの処理をしてサムネイル用の画像データを作成する、その後ＬＣＤ表示部２５に撮影した映像を所定の時間表示するレックレビュー処理に入る。その後、主画像データを取得する。
【００１２】
次に、本発明のデジタルカメラの動作において当該デジタルカメラの機能等を提示提案するデモモードの動作について動作フローを示す図２に従って説明する。
先ず、操作者がデモキーを押すと、押されたキーがメカ駆動デモキーであれば（ステップＳ１０１；ＹＥＳ）、メカ駆動デモモードに移行し、実際にメカ駆動によるズーム動作、フォーカス動作、撮影動作、再生動作を自動的に行う（ステップＳ１０２）。なお、このメカ駆動デモモードは解除操作があるまで継続される（ステップＳ１０３；ＮＯ）。その後、操作者がデモモード解除キー又は予め設定したようにいずれかのキーを押下した場合はメカ駆動デモモードを解除してデモモードを抜ける（ステップＳ１０３；ＹＥＳ、ステップＳ１０４）。ここで、このメカ駆動デモ動作では、図３に示すように、ズーム動作においてＷｉｄｅ位置にあるときはＴｅｌｅに動作し、Ｔｅｌｅ位置にあるときはＷｉｄｅへズーム動作して（ステップＳ２０１）、フォーカス動作及び撮影動作を行い（ステップＳ２０２，Ｓ２０３）、その時撮影された画像が１コマ再生される（ステップＳ２０４）、又分割再生動作（ステップＳ２０５）、拡大再生動作（ステップＳ２０６）、１０枚以上撮影された場合は消去動作（ステップＳ２０７）、ファイルプロテクト設定解除動作（ステップＳ２０８）を自動で行う。
【００１３】
一方、ステップＳ１０１で操作者が押下したデモキーがメカ駆動デモキーではなくプレゼンテーションデモキーであれば（ステップＳ１０１；ＮＯ、ステップＳ１０５；ＹＥＳ）、プレゼンテーションデモモードに移行し、実際にはメカは動作しないで、ズーム動作、フォーカス動作、撮影動作、再生動作を図１のＬＣＤ表示部２５の画面上であたかもメカが動作しているかのごとく表示する映像を提示する（ステップＳ１０６）。なお、このプレゼンテーションデモモードは解除操作があるまで継続される（ステップＳ１０７；ＮＯ）。その後、操作者がデモモード解除キー又は予め設定したようにいずれかのキーを押下した場合はメカ駆動デモモードを解除してデモモードを抜ける（ステップＳ１０７；ＹＥＳ、ステップＳ１０４）。ここで、このプレゼンテーションデモモードでは、図４に示すように、ＬＣＤ表示部２５の画面に、ズーム動作でＷｉｄｅ位置にあるときはＴｅｌｅに動作表示し、Ｔｅｌｅ位置にあるときはＷｉｄｅへズーム動作表示し（ステップＳ３０１）、フォーカス動作表示及び撮影動作表示を行い（ステップＳ３０２，Ｓ３０３）、ＬＣＤ表示されている画像が記録されたごとくに１コマ再生される（ステップＳ３０４）。また、分割再生動作表示（ステップＳ３０５）、拡大再生動作表示（ステップＳ３０６）、１０枚以上撮影された場合は消去動作表示（ステップＳ３０７）、ファイルプロテクト設定解除動作表示（ステップＳ３０８）を自動的に行う。
【００１４】
なお、本発明は上記実施例に限定されるものではなく、特許請求の範囲内の記載であれば多種の変形や置換可能であることは言うまでもない。
【００１５】
【発明の効果】
以上説明したように、本発明のデジタルカメラは、操作者がデモンストレーション用動作を行うデモモードを選択した場合、デモモードに対応するデモンストレーション用動作を行う。よって、操作しなくてもカメラの各機能が見ているだけでわかるようなデモンストレーション用動作を提示できるデジタルカメラを提供できる。
【００１６】
また、デモモードは、実際のメカ駆動によるデモンストレーション用動作を行うメカ駆動デモモードと、実際のメカ駆動によるデモンストレーション用動作を行わず表示部にデモンストレーション用動作を映像として表示するプレゼンテーションデモモードとを含む。メカ駆動デモモードによるデモンストレーション用動作を行うことで、初めて操作する操作者にとって操作困難なメカ駆動のデモンストレーション用動作を理解し易い。また、プレゼンテーションデモモードによる映像は、購入前、また購入後において操作を理解することがより簡単にできると共に、メカ動作が無いので消費電流も少ない。
【００１７】
更に、メカ駆動デモモードによるデモンストレーション用動作は、ズーム動作、フォーカス動作、撮影動作、再生動作を含むことが好ましい。
【図面の簡単な説明】
【図１】本発明の一実施例に係るデジタルカメラの構成を示すブロック図である。
【図２】本発明のデジタルカメラの機能等を提示するデモモードの動作を示すフローチャートである。
【図３】メカ駆動デモモードによるメカ駆動デモ動作を示すフローチャートである。
【図４】プレゼンテーションデモモードによるプレゼンテーションデモ動作を示すフローチャートである。
【符号の説明】
１０；デジタルカメラ、１１；ＣＰＵ、１２；プログラムＲＯＭ、
１３；ＲＡＭ、１４；記憶媒体、１５；メモリカードＩ／Ｆ部、
１６；ＬＥＤ、１７；ファインダ部、１８；音声処理部、
１９；音声入出力部、２０；電源、２１；レンズ部、２２；センサ部
２３；カメラ画像処理部、２４；画像処理部、２５；ＬＣＤ表示部、
２６；ＬＣＤ制御部、２７；操作部、２８；信号入力部、２９；ストロボ部、
３０；Ｉ／Ｏ部、３１；メカ駆動部、３２；ＯＳＤ部、３３；内部バス、
３４；メモリカード。
【図１】
2004032227.tif 000003
【図２】
2004032227.tif 000004
【図３】
2004032227.tif 000005
【図４】
2004032227.tif 000006